(57)【要約】【課題】  立体状の展示物や絵柄や平面物体などを飾ることが出来て、飾り枠本体の厚み寸法をそれほど大きくしなくても奥行き感を表現でき、重量も軽く、壁面に吊り掛けることも容易で、あまり邪魔になったり設置場所が制約されたりすることも無く、装飾性に優れ興趣に富んだ飾り枠を提供することを課題とする。【解決手段】  前方に湾曲させた上枠２の溝２１に、文字や絵柄を施した透明シート６７を展示用透明板６１と展示用透明板６２とで挟んで前記溝２１に収納し、その後方のまっすぐな上枠２の溝２２に文字や絵柄を施した透明シート６８を、展示用透明板６３と展示用透明板６４とで挟んで前記溝２２に収納し、最後方のまっすぐな上枠２の溝２３に写真６９を、展示用透明板６５と展示用透明板６６とで挟んで前記溝２３に収納し、湾曲された展示用透明板６２と平面状の展示用透明板６３との間に形成された空間部９に立体状の展示物１０を展示した。【選択図】図８
2007330745.tif 000002
【特許請求の範囲】
【請求項１】
複数の展示用透明板を所定の間隔をあけて保持する枠を設け、少なくとも最前面の展示用透明板を前方に湾曲させたことを特徴とする立体飾り枠。
【請求項２】
シート状の展示物を複数の展示用透明板に挟んで展示することを特徴とする請求項１の立体飾り枠。
【請求項３】
湾曲された展示用透明板と平面状の展示用透明板との間に形成された空間部に立体状の展示物を展示することを特徴とする請求項１乃至請求項２の立体飾り枠。
【請求項４】
展示用透明板の間又は外側に鏡面部を設けたことを特徴とする請求項１乃至請求項３の立体飾り枠。
【請求項５】
展示用透明板に絵柄を施したことを特徴とする請求項１乃至請求項４の立体飾り枠。
【請求項６】
展示用透明板に平面状物体や小型の立体物を貼付したりすることを特徴とする請求項１乃至請求項５の立体飾り枠。
【請求項７】
枠の正面や側面や背面に絵柄を施したり、彫刻を施したり、平面状物体や小型の立体物を貼付したりすることを特徴とする請求項１乃至請求項６の立体飾り枠。
【請求項８】
枠に底板と上蓋を設けた立体状の展示物を展示することを特徴とする請求項１乃至請求項７の立体飾り枠。
【発明の詳細な説明】
【技術分野】
【０００１】この発明は、立体飾り枠に関するものである。
【背景技術】
【０００２】  造花、人形、記念品などの立体的な装飾物を壁面に飾る場合には、例えば特開平１０−３３８０００号、特開２００１−１２０４０４号公報に開示されているように、前面や側面に透明のガラス板やアクリル板が嵌装される程度の奥行きを持った額縁様の飾り枠が用いられる。そして、このように飾り枠内に装飾物を納めることにより、装飾物をそのまま飾るよりも装飾効果が高まり一層興趣に富んだものとなる。また、写真を飾るのには写真立てが使用されるが、それをより印象的に見せるために、例えば特開平７−５９６３９号公報、登録実用新案第３０５４３９１号公報等に開示されているように、前面の透明ガラス板の一部を鏡部にしたり、透明板に文字、図柄、模様等を印刷、転写、ペインティングしたりするなどして、装飾を施すことが一般的に行われている。
【発明が解決しようとする課題】
【０００３】  立体的な装飾物を額縁様の飾り枠に入れて壁面に飾る場合、枠の厚み寸法を大きくすることにより奥行き感を持たせることができるが、枠の厚み寸法を余り大きくし過ぎると、壁面から大きく突出することになって邪魔になり、飾り枠を設置する場所が制約されることになる。また、重さも増すため壁面での飾り枠の設置が難しくなる。
【０００４】  一方、従来の写真立ては、前面の透明ガラス板の一部を鏡部にしたり透明板に文字、図柄、模様などを描いたりすることにより装飾効果を高めることができるが、何れにしても平面的なものであり、物足りなさを感じることもある。また、結婚式のウェルカムボードとして、一生の記念となるような場面で使うとき、よりスマートな、飾り枠が望まれている。また結婚式後に家に持ち帰っても、どこにでも飾って置ける飾り枠が望まれている。
【０００５】  この発明は、以上のような事情に鑑みてなされたものであり、立体状の展示物や絵柄や平面物体などを飾ることが出来て、飾り枠本体の厚み寸法をそれほど大きくしなくても奥行き感を表現でき、重量も軽く、壁面に吊り掛けることも容易で、あまり邪魔になったり設置場所が制約されたりするとこも無く、装飾性に優れ興趣に富んだ飾り枠を提供することを目的とする。
【課題を解決するための手段】
【０００６】  請求項１記載の発明は、複数の展示用透明板を所定の間隔をあけて保持する枠を設け、少なくとも最前面の展示用透明板を前方に湾曲させたことを特徴とする立体飾り枠である。
【０００７】  この発明によれば最前面の展示用透明板を前方に湾曲させているので、最前面にある展示物の押し花や葉などの平面状物体が湾曲面から生ずる遠近差によって立体感をかもし出すことが出来る。又後方にある展示物の押し花や葉などの平面状物体との遠近差も加わり、枠の厚み寸法はそれほど大きくしなくても良く軽くてシンプルな造りだが、今までに無い複雑に遠近感のある立体飾り枠になる。
【０００８】  請求項２記載の発明は、シート状の展示物を複数の展示用透明板に挟んで展示することを特徴とする請求項１の立体飾り枠である。
【０００９】  この発明によれば、通常は展示物を額に複数展示するとき、接着剤やセロテープなどで固定する必要があり、その接着剤やセロテープが邪魔をして見苦しく、また長期間保存すると接着した所が変色を起こしたりする。しかしシート状の展示物は展示用透明板に挟むだけで展示できるので、接着剤やセロテープなどで止める必要が無く、長期間保存しても変色する事が無くきれいに保存することが出来る。また複数の透明シートに絵柄を設けて、複数の展示用透明板で挟み、所定の間隔をあけて展示するときれいな遠近感のある表現ができる。
【００１０】  上記でいう絵柄とは色、模様、文字、図形、イラスト、記号、写真、などを単独もしくは組み合わせて創作されたものを言う。
【００１１】  請求項３記載の発明は、湾曲された展示用透明板と平面状の展示用透明板との間に形成された空間部に立体状の展示物を展示することを特徴とする請求項１乃至請求項２の立体飾り枠である。
【００１２】  この発明によれば、湾曲を設けた展示用透明板と平面状の展示用透明板の間に空間部ができる。その空間部に造花などの立体状の展示物を展示することが可能となる。
【００１３】  請求項４記載の発明は、展示用透明板の間又は外側に鏡面部を設けたことを特徴とする請求項１乃至請求項３の立体飾り枠である。
【００１４】  この発明によれば、鏡面部より前に展示した展示物を増幅して見せることが出来たり、立体飾り枠の前の物を写したりと、鏡面部を設ける位置によってもいろいろの表現力が発揮できる。
【００１５】  請求項５記載の発明は、展示用透明板に絵柄を施したことを特徴とする請求項１乃至請求項４の立体飾り枠である。
【００１６】  この発明によれば、透明板に絵柄を施こすので透明シートを挟まずともこれより前後に在る透明シートやイラストや写真との遠近感を楽しむ事が出来る。また透明板に絵柄を施し、２枚の透明板に絵柄を施した透明シートを挟んで展示すれば、なお一層の立体感をかもし出すことが出来る。
【００１７】  請求項６記載の発明は、展示用透明板に平面状物体や小型の立体物を貼付したりすることを特徴とする請求項１乃至請求項５の立体飾り枠である。
【００１８】  この発明によれば、飾り枠の構造上の立体表現に加え、平面状物体や小型の立体物を貼付することでより豊かな立体表現が出来る。
【００１９】  請求項７記載の発明は、枠の正面や側面や背面に絵柄を施したり、彫刻を施したり、平面状物体や小型の立体物を貼付したりすることを特徴とする請求項１乃至請求項６の立体飾り枠である。
【００２０】  この発明によれば、飾り枠の立体表現に加え、より一層の格調の高い高級感のある立体飾り枠ができる。
【００２１】  請求項８記載の発明は、枠に底板と上蓋を設けたことを特徴とする請求項１乃至請求項７の立体飾り枠である。
【００２２】  この発明によれば、埃にかからず立体状の展示物を展示することが出来る。
【発明の効果】
【００２３】  本発明によれば、最前面の展示用透明板を前方に湾曲させているので、最前面にある展示物の押し花や葉などの平面状物体が湾曲面から生ずる遠近差によって立体感をかもし出すことが出来る。又後方にある展示物の押し花や葉などの平面状物体との遠近差も加わり、枠の厚み寸法はそれほど大きくしなくても良く軽くてシンプルな造りだが、今までに無い複雑に遠近感のある立体飾り枠になる。
【発明を実施するための最良の形態】
【００２４】
【００２５】  以下本発明の一実施例について説明する。図１〜図６に示すように、立体飾り枠１は上枠２と下枠３と右枠４と左枠５とから成り、上枠２の上に上蓋７を備え、下枠３には一体型の底板８を備えた構造である。上枠２は図８に示すように最前面には前方に湾曲させた上枠２の溝２１に、文字や絵柄を施した透明シート６７を展示用透明板６１と展示用透明板６２とで挟んで前記溝２１に収納し、その後方のまっすぐな上枠２の溝２２に文字や絵柄を施した透明シート６８を、展示用透明板６３と展示用透明板６４とで挟んで前記溝２２に収納し、最後方のまっすぐな上枠２の溝２３に写真６９を、展示用透明板６５と展示用透明板６６とで挟んで前記溝２３に収納した構造である。尚、図７に示すように下枠３にも上枠２と同様に展示用透明シート６を収納する溝が設けられている。また右枠４は図８に示すように、透明シート６７、６８や写真６９を展示用透明板６に挟んで入れる際の入れ口４１を設け、入れ口４１を隠す為に開閉式の蓋４２を設けている構造である。図８に示すように、湾曲された展示用透明板６２と平面状の展示用透明板６３と上蓋７と底板８とで略扇形の空間部９が形成される。この空間部９に、図１に示すような立体状の展示物１０を展示する。また立体飾り枠１の背面には図６に示すように、壁に展示出来るようにネジくぎの頭を引っ掛けられる穴１１、１２、１３、１４を設けてあり、卓上に置くときに転倒を起こしにくくする為、図７に示すようにつっかえ棒用の穴１５につっかえ棒１６を差し込んで使用できる構成である。尚本実施例においては展示用透明板を枠に設けた溝により保持しているが、この構成に限定されるものではなく、展示用透明板を枠で保持する構造であればどのようなものでもよい。【００２６】  本発明は上記実施例に限定されるものではなく、次の構成も含んでいる。
１．前記実施例は前方の展示用透明板６１、６２のみを湾曲させているが、これに限定されるものではなく、後方の展示用透明板も湾曲させてもよい。
２．前記実施例においては展示用透明板６は６枚で溝は３つだがこれに限定されるものではなく、壁面に設置することが出来、重量も軽く、壁面から大きく突出することがない範疇であれば展示用透明板、溝をいくつにしても良い。
３．前記実施例はすべて完全透明の展示用透明板６を使用したが、透けて見える程度なら半透明の物でも良い。
４．前記実施例は立体状の展示物１０が埃がつかないよう上蓋７と底板８を設けたがどちらか一方でも、両方なくても良い。また上蓋と底板は透明な材料を使用しても良い。透明な材料を使用することにより、立体飾り枠内が明るくなる。
５．前記実施例は透明シート６７や透明シート６８に文字や絵柄を施して展示用透明板６１、６２、６３、６４で挟んで溝２１、２２に収めたが、これに限定されるものではなく、鳥の羽や葉っぱや押し花や印刷シールを展示用透明板で挟み、溝２１、２２に収めても良い。
６．前記実施例は最後方に印画紙の写真６９を２枚の展示用透明板６５、６６で挟みこみ平面状の溝２３に収めたが写真６９に替えて、イラストでもよく、また透明シート６７、６８に直接文字や絵柄を施しても良いし、写真６９を挟み込まず、直に貼り付けても構わない。
７．前記実施例は鏡面部は使用していないが前面や後方や最後方のいずれかに鏡面部を設けても良いし、前面や後方や最後方の全部に鏡面部を設けても良い。その鏡面部とは、全面に限ることなく、一部の面に設けても良いのはもちろんのことである。
８．前記実施例は挟み込む為に使用する展示用透明板６には絵柄を施したり、平面状物体や小型の立体物を貼付していないが、これに限定されるものではなく絵柄を施したり、平面状物体や小型の立体物を貼付してもよいのはもちろんのことである。
９．前記実施例は上蓋７と底板８と開閉式の蓋４２を設けたが無くても良いのはもちろんのことであるし、穴１１、１２、１３、１４、１５やつっかえ棒１６もなくても構わない。壁に展示するにはネジくぎの頭を引っ掛けなくても、紐による吊り掛け式であっても構わない。
１０．前記実施例は枠の正面や側面や背面に絵柄を施したり、彫刻を施したり、平面状物体や小型の立体物を貼付したりしていないが、前記のように加工を施しても良いのは勿論のことである。
【図面の簡単な説明】
【００２７】
【図１】本発明に係る立体飾り枠の正面図
【図２】本発明に係る立体飾り枠の上面図
【図３】本発明に係る立体飾り枠の底面図
【図４】本発明に係る立体飾り枠の左側面図
【図５】本発明に係る立体飾り枠の右側面図
【図６】本発明に係る立体飾り枠の背面図
【図７】本発明に係る立体飾り枠のＡ−Ａ断面図
【図８】本発明に係る立体飾り枠のＢ−Ｂ断面図
【図９】本発明に係る立体飾り枠のＣ−Ｃ断面図
【符号の説明】
【００２８】１・・・・・・・・・・・・・立体飾り枠
２・・・・・・・・・・上枠
３・・・・・・・・・・下枠
４・・・・・・・・・・右枠
５・・・・・・・・・・左枠
６・・・・・・・・・・展示用透明板
７・・・・・・・・・・上蓋
８・・・・・・・・・・底板
９・・・・・・・・・・空間部
１０・・・・・・・・・立体状の展示物
１１，１２，１３，１４・・・・穴
１５・・・・・・・・・つっかえ棒用の穴
１６・・・・・・・・・つっかえ棒
２１，２２，２３，３１，３２，３３・・・溝
６１，６２，６３，６４，６５，６６・・・・・展示用透明板
６７，６８・・・・・・透明シート
６９・・・・・写真
４１・・・・入れ口
４２・・・・開閉式の蓋
【図１】
2007330745.tif 000003
【図２】
2007330745.tif 000004
【図３】
2007330745.tif 000005
【図４】
2007330745.tif 000006
【図５】
2007330745.tif 000007
【図６】
2007330745.tif 000008
【図７】
2007330745.tif 000009
【図８】
2007330745.tif 000010
【図９】
2007330745.tif 000011